(57)【要約】      （修正有）【課題】ねじり力を調整することができる回動軸装置を提供する。【解決手段】一端が開放されたケース体であって軸室１１が形成され、両側の側壁１２上にそれぞれ壁孔１３が形成されている本体１と、弾性片本体２３および少なくとも一箇所が湾曲した弾性片湾曲部２４を有して弾性片本体に非円形の弾性片孔２５が設けられている弾性片２１と、軸棒３１および軸頭部３６を有し、該軸棒のサイズおよび形状が弾性片孔に対応して、前端に軸棒ねじ山３３を有し、端部に軸頭部を有している軸部３と、端部孔４１を有してそのサイズおよび形状が軸棒の軸頭部に対応し、湾曲した連結片４３上には連結孔４４が設けられている端部片４と、を含み、軸棒が弾性片に貫設され、軸棒端部の軸頭部が端部孔に貫設されることによって組立られ、連結孔は被連結物に連結され、本体の開放されている部分に相対する壁面はもう１つの被連結物と連結される。【選択図】図１
0003112189.tif 000002
【実用新案登録請求の範囲】
【請求項１】
本体と、弾性片と、軸部と、端部片とを含み、
前記本体は、一端が開放されたケース体であって軸室が形成され、両側の側壁上にはそれぞれ壁孔が形成され、
前記弾性片は、弾性片本体および少なくとも一箇所が湾曲した弾性片湾曲部を有し、前記弾性片本体には非円形の弾性片孔が設けられ、
前記軸部は、軸棒および軸頭部を有して、前記軸棒のサイズおよび形状は前記弾性片孔に対応し、前端には軸棒ねじ山を有して、端部には軸頭部を有し、
前記端部片は、端部孔を有して、そのサイズおよび形状は前記軸棒の軸頭部に対応して形成され、さらに湾曲した連結片を有して該連結片上に連結孔を有し、
前記軸棒を前記弾性片に貫設してナットを螺合し、この軸棒端部の軸頭部を端部孔に貫設することによって組立られ、前記連結孔は被連結物と連結され、前記本体の開放されている部分に相対する壁面はもう１つの被連結物に連結されることを特徴とする回動軸装置。
【請求項２】
前記弾性片湾曲部に対応する前記本体上には、ねじ山を有する調整孔が設けられ、前記調整孔には調整ねじが螺合されて前記弾性片湾曲部を押圧することを特徴とする請求項１記載の回動軸装置。
【請求項３】
前記軸棒には、スペーサが嵌設されていることを特徴とする請求項１記載の回動軸装置。
【請求項４】
前記本体の少なくとも１つの側壁上には切欠が形成され、前記端部片には前記切欠に対応するストッパが設けられていることを特徴とする請求項１記載の回動軸装置。
【請求項５】
前記本体の開放されている部分に相対する壁面上には、固定孔が設けられていることを特徴とする請求項１記載の回動軸装置。
【請求項６】
前記弾性片は、複数設置されていることを特徴とする請求項１記載の回動軸装置。
【請求項７】
前記調整ねじは、調整孔に螺合された後、ねじ頭部によって前記弾性片湾曲部を押圧していることを特徴とする請求項２記載の回動軸装置。
【請求項８】
前記調整孔およびその周辺部位は、厚さが比較的厚いことを特徴とする請求項２記載の回動軸装置。
【請求項９】
前記スペーサは、前記弾性片の外側に複数設置されていることを特徴とする請求項３記載の回動軸装置。
【請求項１０】
前記切欠は、両側の側壁に設けられ、前記ストッパが前記切欠に対応して設置されていることを特徴とする請求項４記載の回動軸装置。
【考案の詳細な説明】
【技術分野】
【０００１】
本考案は、ねじり力を調整することができる回動軸装置に関する。
【背景技術】
【０００２】
回動軸装置は多岐に渡って使用されており、この回動軸装置を使用した蝶番は、ドア、扉、クローゼットなどに使用されており、電子製品においても、ノートパソコンの蓋部分や携帯電話の蓋部分などにも回動軸装置が使用されている。
【０００３】
このような回動軸装置の効用は、開閉のみならず、角度調整にも使用することができることである。この角度調整に使用するときの回動軸装置は、回動以外に、定位機能を有する必要があるため、設計上、ねじり力の変更および調整が重要となり、特に被連結物または被懸架物の重量が非常に大きいとき、荷重の問題を考慮する必要があるので回動軸装置の設計は極めて重要となる。
【０００４】
例を挙げると、現在盛に使用されている大型ディスプレイは数十インチの大きさがあり、その重量は非常に大きい。そのため、使用されている回動軸装置が適切なものでない場合は、被連結物の下方に位置する回動軸装置が本体の重量を支持しなければならないため、ディスプレイの仰角を調整するとき大きな労力が必要となる。また、俯角を調整するときは、本体の重量があるため、労力はあまり掛からない。このことは、回動軸装置を設計する上で考慮しなければならない基本的な要素とである。
【考案の開示】
【考案が解決しようとする課題】
【０００５】
前記したように回動軸装置を角度調整に使用する場合は、回動以外に、定位機能を有する必要があるため、ねじり力の変更および調整が重要となり、特に被連結物または被懸架物の重量が非常に大きいとき、荷重の問題を考慮する必要がある。
【０００６】
本考案はこれらの事情に鑑みてなされたもので、ねじり力を調整することができる回動軸装置を提供することを目的としている。
【課題を解決するための手段】
【０００７】
前記目的を達成するため本考案による回動軸装置は、本体と、弾性片と、軸部と、端部片とを含み、
前記本体は、一端が開放されたケース体であって軸室が形成され、両側の側壁上にはそれぞれ壁孔が形成され、
前記弾性片は、弾性片本体および少なくとも一箇所が湾曲した弾性片湾曲部を有し、前記弾性片本体には非円形の弾性片孔が設けられ、
前記軸部は、軸棒および軸頭部を有して、前記軸棒のサイズおよび形状は前記弾性片孔に対応し、前端には軸棒ねじ山を有して、端部には軸頭部を有し、
前記端部片は、端部孔を有して、そのサイズおよび形状は前記軸棒の軸頭部に対応して形成され、さらに湾曲した連結片を有して該連結片上に連結孔を有し、
前記軸棒を前記弾性片に貫設してナットを螺合し、この軸棒端部の軸頭部を端部孔に貫設することによって組立られ、前記連結孔は被連結物と連結され、前記本体の開放されている部分に相対する壁面はもう１つの被連結物に連結されることを特徴とする。
【考案の効果】
【０００８】
本考案による回動軸装置によれば、弾性片湾曲部の弾力によって荷重を減少させることができるので、仰角調整時の労力を軽減でき、比較的大型の被連結物に対してはその効果がさらに顕著であり、比較的小型の被連結物に対してもやはり同等の効果が得られる。
【考案を実施するための最良の形態】
【０００９】
以下、図面を参照して本考案の実施例を説明する。
【実施例】
【００１０】
図１は本考案の一実施例の回動軸装置を示す分解図であり、図２は図１の回動軸装置を示す斜視図であり、図３は図２とは異なる角度から見た斜視図である。
【００１１】
図に示すように、本実施例の回動軸装置は、本体１、左右対称に設置されているスペーサ２２と弾性片２１のセット２、左右対称に設置されている軸部３、両端に設置されている端部片４および／または調整部材５から構成されている。
【００１２】
前記本体１は、一端が開放されているケース体であり、内部には軸室１１を有する空間が形成され、この空間内にスペーサ２２と弾性片のセット２が収容されている。前記本体１の両側の側壁１２上には、それぞれ壁孔１３が設けられて軸部３が貫設されている。また、前記本体１の少なくとも１つの側壁１２の頂部には、前記端部片４のストッパ４２を係止するために、切欠１４が形成されており、本実施例においては、両側の側壁１２にそれぞれに切欠１４が形成されている。前記本体１の頂面には、前記調整部材５を連結するために、ねじ山を備える調整孔１５が設けられている。この調整孔１５の周縁部には、厚さが比較的厚い強化部１６が形成されている。さらに、本体１の開放されている部分と相対する壁面上には、被連結物を連結するために、若干の固定孔１７が設けられている。
【００１３】
前記スペーサ２２と弾性片２１のセット２は、少なくとも１つの弾性片２１および／またはスペーサ２２から構成されている。この弾性片２１は、弾性片本体２３および少なくとも一箇所湾曲した弾性片湾曲部２４から形成されている。前記弾性片本体２３には、非円形である弾性片孔２５が設けられている。前記弾性片湾曲部２４は、弾性片本体２３に対して適度な弾性を有している。前記スペーサ２２の中央には、円形のスペーサ孔２６が設けられており、スペーサ２２は好ましくは円弧形のものであるが、これに限らない。本実施例においては、弾性片２１とスペーサ２２は複数設置されているが、これに限らず、例えば全てを弾性片２１にしたり、または弾性片２１を内側にしてスペーサ２２を外側にしたり、弾性片２１を外側にしてスペーサ２２を内側にしたりすることもできる。
【００１４】
前記軸部３は、軸棒３１およびナット３２から構成されている。この軸棒３１の形状とサイズは、前述の弾性片孔２５に対応しており、定位することができる。この軸部３の前端には、軸棒ねじ山３３が形成されており、ナット３２には軸棒ねじ山３３に対応するナットねじ山３２が形成されて軸棒ねじ山３３と螺合することができるようになっている。前記軸部３の他端には、軸片３５が設置され、外側には軸頭部３６が形成されている。
【００１５】
前記端部片４は板体であり、軸部３に対応する位置に設置されている。端部片４には、端部孔４１が設けられており、その形状とサイズは前述の軸棒３１および軸頭部３６に対応しており、軸頭部３６を貫設することができるようになっている。また、端部片４の底部には、内側に向かってストッパ４２が設けられており、前述の本体１に形成した切欠１４に係止することができるようになっている。前記端部片４の折曲した連結片４３には、若干の連結孔４４が設けられており、被連結物が連結されるようになっている。
【００１６】
前記調整部材５は、サイズとねじ山が前述の調整孔１５に対応する調整ねじ５１からなり、設置後、上方のねじ頭部５２が弾性片湾曲部２４を押圧することができるようになっている。
【００１７】
図２、３に示すように、組立時、軸棒３１を壁孔１３に貫通させて軸室１１内にまで至らせ、さらにスペーサ２２および弾性片２１に貫通させた後、ナット３２を緊密に螺合し、端部片４を端部孔４１と軸頭部３６とよって連結する。このとき、ストッパ４２は、切欠１４間に設置され、調整ねじ５１を調整孔１５に螺合し、ねじ頭部５２を弾性片湾曲部２４と調整ねじ５１との間に挟合し、回動軸装置が完成する。
【００１８】
本考案の実施例を実施するとき、図３に示す端部片４の連結孔４３を例えばディスプレイ等の被連結物の背部に固定し、固定孔１７を台座等のもう１つ被連結物に連結し、それにより例えばディスプレイ等の被連結物は本体１に対応して回動する状態となる。
【００１９】
仰角を調整するときは、弾性片湾曲部２４の弾力によって荷重を減少させることができるので容易に調整を行うことができる。また、俯角を調整するときは、被連結物そのものの重量により容易に調整を行うことができ、調整部材５を利用して弾性片２１の弾力を調整することによってねじり力を調整することができる。
【００２０】
上述の詳細な説明は、本考案の好適な実施例の１つを示すのものであり、本考案の技術主旨に基づく局部の変更、また修飾は全て本考案の範囲に含まれる。
【図面の簡単な説明】
【００２１】
【図１】本考案の一実施例の回動軸装置を示す分解斜視図である。
【図２】本考案の一実施例の回動軸装置を示す斜視図である。
【図３】図２とは異なる角度から見た状態の斜視図である。
【符号の説明】
【００２２】
１    本体
２    軸片セット
３    軸
４    端部片
５    調整部材
１１  軸室
１２  側壁
１３  壁孔
１４  切欠
１５  調整孔
１６  強化部
１７  固定孔
２１  弾性片
２２  スペーサ
２３  弾性片本体
２４  弾性片湾曲部
２５  弾性片孔
２６  スペーサ孔
３１  軸棒
３２  ナット
３３  軸棒ねじ山
３４  ナットねじ山
３５  軸片
３６  軸頭部
４１  端部孔
４２  ストッパ
４３  連結片
４４  連結孔
５１  調整ねじ
５２  ねじ頭部
【図１】
0003112189.tif 000003
【図２】
0003112189.tif 000004
【図３】
0003112189.tif 000005